(57)【要約】【課題】病院家具に操作器具及び検査器具を殺菌する殺菌収納部を提供する。【解決手段】  床頭台又は間仕切り装置又はベッド用テーブルである病院家具の一部に収納部を設け、収納部は前面が常に開放された棚状であり、収納部内には殺菌作用を有する殺菌灯を設けて、収納部は前面が常に開放された棚状であって、ベッド周辺で使用するテレビ等を操作するリモコン操作器具及び体温計等の検査器具を殺菌する殺菌収納部を設けた病院家具。【選択図】図3
2018175614.tif 000002
【特許請求の範囲】
【請求項１】
病院家具の一部に収納部を設け、収納部内には殺菌作用を有する殺菌灯を設けて、ベッド周辺で使用する操作器具及び検査器具を殺菌することを特徴とする殺菌収納部を設けた病院家具。
【請求項２】
前記病院家具は床頭台又は間仕切り装置又はベッド用テーブルであることを特徴とする請求項１に記載の殺菌収納部を設けた病院家具。
【請求項３】
前記収納部は前面が常に開放された棚状であることを特徴とする請求項１又は２に記載の殺菌収納部を設けた病院家具。
【請求項４】
前記操作器具は、テレビ用リモコン装置であることを特徴とする請求項１乃至３の記載から選択される殺菌収納部を設けた病院家具。
【請求項５】
前記検査器具は、体温計であることを特徴とする請求項１乃至３の記載から選択される殺菌収納部を設けた病院家具。
【請求項６】
前記殺菌灯は、操作器具及び検査器具を収納されている場合に、点灯することを特徴とする請求項１乃至５の記載から選択される殺菌収納部を設けた病院家具。
【請求項７】
前記殺菌灯は、一定の間隔で点灯することを特徴とする請求項１乃至５の記載から選択される殺菌収納部を設けた病院家具。
【請求項８】
前記殺菌灯は、任意の時間に点灯することを特徴とする請求項１乃至５の記載から選択される殺菌収納部を設けた病院家具。
【請求項９】
前記殺菌灯は、殺菌力を持つ紫外線を発光することを特徴とする請求項１乃至８の記載から選択される殺菌収納部を設けた病院家具。
【発明の詳細な説明】
【技術分野】
【０００１】
本発明は、床頭台や間仕切り装置やベッド用テーブル等の病院家具に操作器具及び検査器具を殺菌する殺菌収納部を設けたものに関する。
【背景技術】
【０００２】
従来より、ベビー用品、生活用品、キッチン用品等を紫外線殺菌器に挿入して、殺菌消毒することは特許文献１に開示され、また、浴室、トイレ、キッチン、洗面室等に設置される殺菌装置を組み込んだ収納庫も特許文献２に開示されている。
ところで、病室や介護施設には、病院家具と呼ばれるテレビ等を設置した床頭台、ベッドサイドテーブル、オーバーベッドテーブル、間仕切りを配置するが、ベッド使用者が頻繁に使用するテレビのリモコンや体温計を収納する収納部が特別に設置されていない。
通常、病院や介護施設で使用するリモコンや体温計は、使用者が変わるたびに、看護師や作業員が消毒液を浸み込ませた布等で全体を布で拭いていた。
【先行技術文献】
【特許文献】
【０００３】
【特許文献１】特開平１０−３２８２７４号公報
【特許文献２】特開２０１４−８３３６６号公報
【発明の概要】
【発明が解決しようとする課題】
【０００４】
本発明の課題は、上述した問題点に鑑みてなされたもので、病院家具の一部の定位置にテレビを操作するリモコン等の操作器具や、使用者の体温を測る体温計等の検査器具を常に配置する収納部を設けた病院家具を提供しようとするものである。
また、これらの操作器具や検査器具を収納部で自動的殺菌消毒して、看護師や作業員が消毒液を浸み込ませた布等で全体を布で作業を省く病院家具を提供しようとするものである。
【課題を解決するための手段】
【０００５】
上記課題を解決するために、請求項１の発明は、病院家具の一部に収納部を設け、収納部内には殺菌作用を有する殺菌灯を設けて、ベッド周辺で使用する操作器具及び検査器具を殺菌することを特徴とする殺菌収納部を設けた病院家具である。
請求項２の発明は、請求項１に記載の殺菌収納部を設けた病院家具であって、前記病院家具は床頭台又は間仕切り装置又はベッド用テーブルであることを特徴とする。
請求項３の発明は、請求項１又は２に記載の殺菌収納部を設けた病院家具において、前記収納部は前面が常に開放された棚状であることを特徴とする。
請求項４の発明は、請求項１乃至３の記載から選択される殺菌収納部を設けた病院家具において、前記操作器具は、テレビ用リモコン装置であることを特徴とする。
請求項５の発明は、請求項１乃至３の記載から選択される殺菌収納部を設けた病院家具において、前記検査器具は、体温計であることを特徴とする。
請求項６の発明は、請求項１乃至５の記載から選択される殺菌収納部を設けた病院家具において、前記殺菌灯は、操作器具及び検査器具を収納されている場合に、点灯することを特徴とする。
請求項７の発明は、請求項１乃至５の記載から選択される殺菌収納部を設けた病院家具において、前記殺菌灯は、一定の間隔で点灯することを特徴とする。
請求項８の発明は、請求項１乃至５の記載から選択される殺菌収納部を設けた病院家具において、前記殺菌灯は、任意の時間に点灯することを特徴とする。
請求項９の発明は、請求項１乃至８の記載から選択される殺菌収納部を設けた病院家具において、前記殺菌灯は、殺菌力を持つ紫外線を発光することを特徴とする。
【発明の効果】
【０００６】
本発明によれば、病院家具の一部の定位置にテレビを操作するリモコン等の操作器具や、使用者の体温を測る体温計等の検査器具を常に配置する収納部を設けたので、リモコン等の操作器具や、使用者の体温を測る体温計等の検査器具が置き場所が判る。
また、これらの操作器具や検査器具を収納部で自動的殺菌消毒して、看護師や作業員が消毒液を浸み込ませた布等で全体を布で作業を省くことができる。かつ、手作業による拭きムラ等は生じない。
【図面の簡単な説明】
【０００７】
【図１】本発明の実施例１の床頭台１に殺菌収納部３を配置した全体の斜視図、
【図２】図１における殺菌収納部３の全体の斜視図、
【図３】図２における殺菌収納部３の長手方向の断面図、
【図４】本発明の実施例２の間仕切り装置８に殺菌収納部３を配置した全体の斜視図、
【図５】本発明の実施例３のオーバーベッドテーブル９に殺菌収納部３を配置した全体の斜視図である。
【発明を実施するための形態】
【０００８】
本発明は、病院家具の一部に収納部を設け、収納部内には殺菌作用を有する殺菌灯を設けて、ベッド周辺で使用する操作器具及び検査器具を殺菌することを特徴とする殺菌収納部を設けることで、初期の目的を達成した。以下に、本発明の殺菌収納部を設けた病院家具の実施例の詳細を図面に沿って説明する。
ここで、病院家具とは、テレビ等を設置した床頭台、ベッドサイドテーブル、オーバーベッドテーブル、間仕切り等があるが、本発明では、病院家具としては病院内で使用する収納具等を含むものであり、例えば、病室入り口に置く収納具や、ナースステーション内に置いて看護師が使用する治療道具の収納具なども病院家具に含まれる。
【実施例１】
【０００９】
本発明の病院家具である床頭台１に殺菌収納部３を設けた実施例１を、図１から図３に沿って説明する。
図１は床頭台１の全体の斜視図で、両側面部１１に挟まれて上方から第１天板１２１と第２天板１２１の間にはテレビ２が配置され、第２天板１２１の前面はタイマー等の表示部１３とその側部に殺菌機能を有する殺菌収納部３が配置されている。また、表示部１３の下には順に、第１引出部１４１、第２引出部１４２、冷蔵庫１６、第３引出部１４３、床頭台１のキャスターをロックするキャスターロックレバー１７が設けられている。
殺菌収納部３の殺菌収納ユニット３１は、図２の斜視図、図３の長手方向の断面図に示すようなもので、前面は図２の前面部３２に開放された開口部３２１が設けられたアルミニウムの箱形枠体３３であって、箱形枠体３３の適所には床頭台１等に取り付ける取付部３３１が設けられている。
【００１０】
箱形枠体３３の内部は、図３に示すように、天井部３３２と底部３３３とには、間隔をおいて透明なアクリル板或いはガラス板３４が設けられ、天井部３３２と底部３３３とには、人体に無害が殺菌作用のある紫外線を発光するＬＥＤ４が複数個が設置され、また、箱形枠体３３の両側部３３４の内部側は紫外線を反射する反射材料が配置されている。
なお、透明アクリル板３４は網等でもよく、ＬＥＤ４は他の紫外線を発光する紫外灯であってもよい。また、殺菌作用のある紫外線は安全であればオゾン気体等の殺菌気体でもよい。
【００１１】
箱形枠体３３の背面部３５と中間仕切板３６との間には、ＬＤＥ４の電源４１やタイマー４２が設けられ、前面部３２と中間仕切板３６との間には、操作器具や検査器具の存在を検知する検知機構５を設けるが、本実施例では検知機構光センサーを使用したが、低い位置に一対の発光素子５１と受光素子５２が配置され、操作器具や検査器具があればこれを検知する検知機構５を構成している。これらの検知機構５としては重さを検知する加重センサーや、イメージセンサー等でも良い。また、前面部３２の側部にはこれら稼働部をＯＮ／ＯＦＦするスイッチ４３が設けられ、背面部３５には稼働間隔を選択するモード切替スイッチが設けられている。
【００１２】
（作動）
次に、上述した実施例１の作動を説明する。
ベッドの近傍に配置するテレビ付属の床頭台１は、テレビを操作するリモコン２１は、通常は枕元や床頭台１の第２天板等に置いているが、本実施例では床頭台１のアルミニウムの箱形枠体３３における殺菌収納部３の開口部３２１に前面から差し込んで収納する。
殺菌収納部３はリモコン２１が置かれると、検知機構５、本実施例では、低い位置に一対の発光素子５１と受光素子５２での光が遮られ、リモコン２１が殺菌収納部３にあることを検知し、タイマー４２が稼働して、紫外線を発光するＬＥＤ４が発光する。リモコン２１は天井部３３２のＬＥＤ４によって照射し、また反射板でもある側部３３４からも照射し、さらに、底部３３３に設けられた透明アクリル板３４によって下のＬＥＤ４が照射して、リモコン２１の全体を照射し、殺菌消毒をする。
【００１３】
タイマー４２は、モード切替スイッチ４４によって、殺菌灯であるＬＥＤ４が一定の間隔で点灯するモードにするか、任意の時間に点灯するモードにするかを選択し、或いは、殺菌灯であるＬＥＤ４を点灯しない場合はスイッチ４３をＯＦＦにすればよい。通常は、このスイッチ４３はＯＮにしておけば、自動的にリモコン２１を殺菌消毒する。また、この殺菌収納部３には、リモコン２１以外の体温計やその他のベッド周辺で使用する操作器具及び検査器具を同様に差し入れても良く、自動的にリモコン２１を殺菌消毒することができる。
このように、本実施例によれば、病院家具の一部の定位置にテレビを操作するリモコン等の操作器具や、使用者の体温を測る体温計等の検査器具を常に配置する収納部を設けたので、リモコン等の操作器具や、使用者の体温を測る体温計等の検査器具が置き場所が判り、これらのリモコン等の操作器具や体温計等の検査器具を収納部で自動的殺菌消毒して、看護師や作業員が消毒液を浸み込ませた布等で全体を布で作業を省くことができ、かつ、手作業による拭きムラ等は生じない。
【実施例２】
【００１４】
実施例１は病院家具である床頭台１に殺菌収納部３を設けたが、実施例２は、図４に示すように、病院家具である間仕切り装置８に殺菌収納部３を設けたものである。
図４の斜視図に示すように、間仕切り装置８の中央部は、上方から仕切り部１６、天板１２にはテレビ２が配置され、前面はタイマー等の表示部１３とその側部に殺菌機能を有する殺菌収納部３が配置されている。また、表示部１３の下には順に、引出部１４、冷蔵庫１９が設けられ、間仕切り装置８の左側は棚部１５が複数段配置されている。
リモコン等の操作器具や体温計等の検査器具を収納部する殺菌収納部３についての構成・作用は実施例１と同じであるので説明は省略する。
【実施例３】
【００１５】
実施例３は、図５に示すように、病院家具であるベッドサイドテーブルやオーバーベッドテーブル等のベッド用テーブルに殺菌収納部３を設けたものである。
図５の斜視図に示すように、ベッド用テーブルとしてオーバーベッドテーブル９ので説明すると、テーブル部９１の左右いずれかの側面に殺菌収納部３を配置し、オーバーベッドテーブル９の両側には、上下に高さが調整可能なキャスター９２付きの脚部９３が設けられている。
殺菌収納部３は、適所に設ければよいが、いずれにしてもリモコン等の操作器具や体温計等の検査器具の載置が容易な場所にすればよい。
リモコン等の操作器具や体温計等の検査器具を収納部する殺菌収納部３についての構成・作用は実施例１と同じであるので説明は省略する。
【００１６】
このように、第２、第３実施例によれば、病院家具の一部の定位置にテレビを操作するリモコン等の操作器具や、使用者の体温を測る体温計等の検査器具を常に配置する収納部を設けたので、リモコン等の操作器具や、使用者の体温を測る体温計等の検査器具が置き場所が判り、これらのリモコン等の操作器具や体温計等の検査器具を収納部で自動的殺菌消毒して、看護師や作業員が消毒液を浸み込ませた布等で全体を布で作業を省くことができ、かつ、手作業による拭きムラ等は生じない。
【００１７】
なお、本発明の特徴を損なうものでなければ、上記の実施例に限定されるものでないことは勿論であり、例えば、人体に無害あれば殺菌灯の代わりには、殺菌オゾン発生装置を用いてもよい。
【符号の説明】
【００１８】
１・・床頭台、１２・・天板、１２１・・第１天板、１２２・・第２天板、
１３・・表示部、
１４・・引出部、１４１・・第１引出部、１４２・・第２引出部、
１４３・・第３引出部、
１５・・棚部、１６・・仕切部、１７・・キャスターロックレバー、
１９・・冷蔵庫、
２・・テレビ、２１・・リモコン、
３・・殺菌収納部、３１・・殺菌収納ユニット、３２・・前面部、
３２１・・開口部、
３３・・箱形枠体、３３１・・取付部、３３２・・天井部、
３３３・・底部、３３４・・側部、
３４・・透明アクリル板、
３５・・背面部、３６・・中間仕切板、
４・・ＬＥＤ、４１・・電源、４２・・タイマー、４３・・スイッチ、
４４・・モード切替スイッチ、
５・・検知機構、５１・・発光素子、５２・・受光素子、
８・・間仕切り装置、
９・・オーバーベッドテーブル、９１・・テーブル部、９２・・キャスター、
９３・・脚部、
【図１】
2018175614.tif 000003
【図２】
2018175614.tif 000004
【図３】
2018175614.tif 000005
【図４】
2018175614.tif 000006
【図５】
2018175614.tif 000007